【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
複数の送信素子アンテナと受信素子アンテナをアレー状に配置したアレーアンテナにより、パイロット信号を受信して、そのパイロット信号の方向へＲＦ送信信号を送信するレトロディレクティブアンテナ装置において、上記受信素子アンテナからのパイロット信号を第１の局発信号により第１の低周波信号に周波数変換する第１のミクサと、上記パイロット信号の周波数に対する上記ＲＦ送信信号の周波数の比で、上記第１の低周波信号を逓倍する逓倍器と、上記ＲＦ送信信号から取り出した一部のＲＦ送信信号を第２の局発信号により第２の低周波信号に周波数変換する第２のミクサ、上記逓倍された第１の低周波信号と上記第２の低周波信号を位相比較する位相比較器、この位相比較器の出力信号が入力され、電圧制御発振して上記ＲＦ送信信号を生成する電圧制御発振器を有する第１の位相同期ループとを備えたことを特徴とするレトロディレクティブアンテナ装置。
【請求項２】
複数の送信素子アンテナと受信素子アンテナをアレー状に配置したアレーアンテナにより、パイロット信号を受信して、そのパイロット信号の方向へＲＦ送信信号を送信するレトロディレクティブアンテナ装置において、上記受信素子アンテナからのパイロット信号を第１の局発信号により第１の低周波信号に周波数変換する第１のミクサと、上記ＲＦ送信信号の周波数に対する上記パイロット信号の周波数との比で、上記第１の低周波信号を分周する分周器と、上記ＲＦ送信信号から取り出した一部のＲＦ送信信号を第２の局発信号により第２の低周波信号に周波数変換する第２のミクサ、上記分周された第１の低周波信号と上記第２の低周波信号を位相比較する位相比較器、この位相比較器の出力信号が入力され電圧制御発振して上記ＲＦ送信信号を生成する電圧制御発振器を有する第１の位相同期ループとを備えたことを特徴とするレトロディレクティブアンテナ装置。
【請求項３】
上記第１の局発信号の一部の信号が取り出され、この信号を分周する分周器、この分周器の出力を原振器の出力と位相比較する位相比較器、この位相比較器の出力信号が入力され、電圧制御発振して上記第１の局発信号を生成する電圧制御発振器を有する第２の位相同期ループと、上記第２の局発信号の一部の信号が取り出され、この信号を分周する分周器、この分周器の出力を上記原振器の出力と位相比較する位相比較器、この位相比較器の出力信号が入力され、電圧制御発振して上記第２の局発信号を生成する電圧制御発振器を有する第３の位相同期ループとをさらに備えたことを特徴とする請求項１又は請求項２に記載のレトロディレクティブアンテナ装置。
【請求項４】
上記第２の局発信号を位相調整し、上記第２のミクサに入力する移相器をさらに備えたことを特徴とする請求項１又は請求項２に記載のレトロディレクティブアンテナ装置。
【請求項５】
請求項４に記載のレトロディレクティブアンテナ装置を、上記アレーアンテナの正面方向から上記各受信素子アンテナに同相のパイロット信号を入力し、上記各送信素子アンテナから同相のＲＦ送信信号を送信するように上記移相器により調整することを特徴とするレトロディレクティブアンテナ装置の調整方法。
【手続補正２】
【補正対象書類名】明細書
【補正対象項目名】０００９
【補正方法】変更
【補正の内容】
【０００９】
請求項１の発明に係るレトロディレクティブアンテナ装置は、複数の送信素子アンテナと受信素子アンテナをアレー状に配置したアレーアンテナにより、パイロット信号を受信して、そのパイロット信号の方向へＲＦ送信信号を送信するレトロディレクティブアンテナ装置において、上記受信素子アンテナからのパイロット信号を第１の局発信号により第１の低周波信号に周波数変換する第１のミクサと、上記パイロット信号の周波数に対する上記ＲＦ送信信号の周波数の比で、上記第１の低周波信号を逓倍する逓倍器と、上記ＲＦ送信信号から取り出した一部のＲＦ送信信号を第２の局発信号により第２の低周波信号に周波数変換する第２のミクサ、上記逓倍された第１の低周波信号と上記第２の低周波信号を位相比較する位相比較器、この位相比較器の出力信号が入力され、電圧制御発振して上記ＲＦ送信信号を生成する電圧制御発振器を有する第１の位相同期ループとを備えたものである。
【手続補正３】
【補正対象書類名】明細書
【補正対象項目名】００１０
【補正方法】変更
【補正の内容】
【００１０】
請求項２の発明に係るレトロディレクティブアンテナ装置は、複数の送信素子アンテナと受信素子アンテナをアレー状に配置したアレーアンテナにより、パイロット信号を受信して、そのパイロット信号の方向へＲＦ送信信号を送信するレトロディレクティブアンテナ装置において、上記受信素子アンテナからのパイロット信号を第１の局発信号により第１の低周波信号に周波数変換する第１のミクサと、上記ＲＦ送信信号の周波数に対する上記パイロット信号の周波数との比で、上記第１の低周波信号を分周する分周器と、上記ＲＦ送信信号から取り出した一部のＲＦ送信信号を第２の局発信号により第２の低周波信号に周波数変換する第２のミクサ、上記分周された第１の低周波信号と上記第２の低周波信号を位相比較する位相比較器、この位相比較器の出力信号が入力され電圧制御発振して上記ＲＦ送信信号を生成する電圧制御発振器を有する第１の位相同期ループとを備えたものである。
【手続補正４】
【補正対象書類名】明細書
【補正対象項目名】００１１
【補正方法】変更
【補正の内容】
【００１１】
請求項３の発明に係るレトロディレクティブアンテナ装置は、請求項１又は請求項２の発明に係るレトロディレクティブアンテナ装置において、上記第１の局発信号の一部の信号が取り出され、この信号を分周する分周器、この分周器の出力を原振器の出力と位相比較する位相比較器、この位相比較器の出力信号が入力され、電圧制御発振して上記第１の局発信号を生成する電圧制御発振器を有する第２の位相同期ループと、上記第２の局発信号の一部の信号が取り出され、この信号を分周する分周器、この分周器の出力を上記原振器の出力と位相比較する位相比較器、この位相比較器の出力信号が入力され、電圧制御発振して上記第２の局発信号を生成する電圧制御発振器を有する第３の位相同期ループとをさらに備えたものである。
【手続補正５】
【補正対象書類名】明細書
【補正対象項目名】００１２
【補正方法】変更
【補正の内容】
【００１２】
請求項４の発明に係るレトロディレクティブアンテナ装置は、請求項１又は請求項２の発明に係るレトロディレクティブアンテナ装置において、上記第２の局発信号を位相調整し、上記第２のミクサに入力する移相器をさらに備えたものである。
【手続補正６】
【補正対象書類名】明細書
【補正対象項目名】００１３
【補正方法】変更
【補正の内容】
【００１３】
請求項５の発明に係るレトロディレクティブアンテナ装置の調整方法は、請求項４の発明に係るレトロディレクティブアンテナ装置を、上記アレーアンテナの正面方向から上記各受信素子アンテナに同相のパイロット信号を入力し、上記各送信素子アンテナから同相のＲＦ送信信号を送信するように上記移相器により調整するものである。
【手続補正７】
【補正対象書類名】明細書
【補正対象項目名】００２１
【補正方法】変更
【補正の内容】
【００２１】
次に、周波数変換回路５及び６における動作について説明する。周波数変換回路５において、電圧制御発振器２１は第１の局発信号を生成し、この第１の局発信号の一部をカプラ２２により取り出す。カプラ２２の出力は分周器２３において分周数Ｎ２で分周して、位相比較器２４に入力する。一方、原振器４からの出力信号は２分配され、一方の出力信号を位相比較器２４に入力し、もう一方の出力信号は位相比較器２９に入力する。位相比較器２４は、分周器２３からの入力信号と原振器４からの入力信号との位相を比較し、電圧値として出力する。位相比較器２４の出力信号はローパスフィルタ２５を介して、電圧制御発振器２１に入力する。電圧制御発振器２１、カプラ２２、分周器２３、位相比較器２４、ローパスフィルタ２５からなる回路は位相同期ループ回路を構成しており、ローパスフィルタ２５は、この位相同期ループのループフィルタとなっている。例えば、原振器４から１０ＭＨｚ信号が出力されているとき、分周器２３の分周数をＮ２＝３８８とすればよい（電圧制御発振器２１が出力する第１の局発信号の周波数は３．８５ＧＨｚ＋３０ＭＨｚとする）。
【手続補正８】
【補正対象書類名】明細書
【補正対象項目名】００２４
【補正方法】変更
【補正の内容】
【００２４】
位相関係について説明する。ミクサ１２において、受信したパイロット信号（Ｆｒ）と第１の局発信号（Ｆ１）とを混合して差周波数信号（Ｆ１−Ｆｒ）に周波数変換し、逓倍器１３において、パイロット信号に対するＲＦ送信信号の周波数比であるＮ１で逓倍し、これを位相同期ループ（電圧制御発振器１５を含む位相同期ループ）においてＲＦ送信信号の周波数へ周波数変換することによって、理想的にはパイロット信号とＲＦ送信信号とは位相共役な関係となる。図３は、パイロット信号の受信方向に、ＲＦ送信信号が送信される場合を示す模式図である。図３において、隣り合うＲＦモジュール３の受信信号の経路差をΔｄｒ、送信信号の経路差をΔｄｔとする。この経路差についてΔｄｒ＝Δｄｔとなるとき、ＲＦモジュール３の各＃１〜＃ｎにおいて、それぞれパイロット信号と位相共役なＲＦ送信信号が送信されれば、そのＲＦ送信信号はパイロット信号の受信方向に送信される。経路差についてΔｄｒ＝Δｄｔとするには、各ＲＦモジュール３において、受信素子アンテナ１と送信素子アンテナ２を同一点に配置する場合や、受信素子アンテナ１と送信アンテナ２を交互に配置（図３に示すような配置）する場合等がある。